(57)【要約】微細な対象領域を拡大された状態で目視しつつ、信頼性の高い探査を行うことが可能で、しかも、取扱性に優れたルーペ付きプローブ装置を提供する。【課題】【解決手段】探査・検出部１と、先端部に、探査・検出部１が先端側に取り付けられるプローブ本体２と、光路が探査・検出部１と略同軸となるように配設され、探査・検出部１による探査・検出が行われる対象領域に光を照射する照明部３と、プローブ本体２に配設され、対象領域を拡大して目視するためのルーペ４とを備えた構成とする。  ルーペ４と、ルーペ４を介して目視すべき対象領域との位置関係を調整することができるようにする。  プローブ本体２に磁性材料からなるスライドガイド部５を配設し、ルーペ４を磁石６を備えた摺動ルーペ機台７を有する支持アーム８により支持するとともに、摺動ルーペ機台７を磁力によりスライドガイド部５上に摺動可能に保持する。【選択図】図１
2005274430.tif 000002
【特許請求の範囲】
【請求項１】
探査・検出の対象である対象領域を探査・検出する探査・検出部と、
先端側に、前記探査・検出部が配設されるプローブ本体と、
光路が前記探査・検出部と略同軸となるように配設され、前記探査・検出部による探査・検出が行われる対象領域に光を照射する照明部と、
前記プローブ本体に配設され、前記対象領域を拡大して目視するためのルーペと
を具備することを特徴とするルーペ付きプローブ装置。
【請求項２】
前記ルーペが、使用条件に応じて、該ルーペを介して目視すべき前記対象領域との位置関係を調整することができるように、位置変更可能な態様で前記プローブ本体に配設されていることを特徴とする請求項１記載のルーペ付きプローブ装置。
【請求項３】
前記プローブ本体に磁性材料からなるスライドガイド部が配設され、前記ルーペが、磁石を備えた摺動ルーペ機台を有する支持アームにより支持され、前記摺動ルーペ機台が磁力により、前記スライドガイド部上に摺動可能に保持されていることを特徴とする請求項１または２記載のルーペ付きプローブ装置。
【請求項４】
前記支持アームが変形可能に構成されており、前記支持アームを変形させることにより、前記ルーペの位置を調整することができるように構成されていることを特徴とする請求項１〜３のいずれかに記載のルーペ付きプローブ装置。
【請求項５】
前記支持アームが蝶番を備えているか、または、前記支持アームの少なくとも一部が任意に変形させることが可能なフレキシブル材料から形成されていることを特徴とする請求項１〜４のいずれかに記載のルーペ付きプローブ装置。
【請求項６】
前記探査・検出部が、透明材料からなる保持部を貫通して保持され、かつ、前記保持部が、前記探査・検出部と、前記照明部から照射される光の光路とが略同軸となるように前記照明部に一体に固定されているとともに、該探査・検出部と照明部を一体に結合させた結合部材が、前記プローブ本体の先端側に配設されていることを特徴とする請求項１〜５のいずれかに記載のルーペ付きプローブ装置。
【請求項７】
前記スライドガイド部が、プローブ本体に形成された凹部に配設され、不使用時には、前記ルーペがプローブ本体の外周面から実質的に突出しないような態様で前記凹部内に保持されるように構成されていることを特徴とする請求項１〜６記載のルーペ付きプローブ装置。
【請求項８】
前記探査・検出部が、電気測定手段に接続されていることを特徴とする請求項１〜７のいずれかに記載のルーペ付きプローブ装置。
【請求項９】
前記電気測定手段が前記プローブ本体に配設されているか、または、プローブ本体とは別体として配設されていることを特徴とする請求項８に記載のルーペ付きプローブ装置。
【発明の詳細な説明】
【技術分野】
【０００１】
本発明は、プローブ装置に関し、詳しくは、ライトとルーペを備え、探査すべき対象領域を確実に目視することが可能で、例えば、微細な素子や複雑な配線が施された基板などを探査するのに適したルーペ付きプローブ装置に関する。
【背景技術】
【０００２】
小型の電子部品素子や配線基板などを検査したりする場合に用いられるプローブ装置としては、微細なプローブが必要であるが、従来のペンタイプの電気測定器や、電気測定器などのプローブには、検知部が太く、微細な領域を探査しにくいものや、検知部が微細でも、探査すべき領域を目視することが困難なものなどが多く、微細な対象を検査するのに適したものが少ないのが実状である。
【０００３】
そして、検知部が太く、微細な領域を探査しにくいものや、検知部が微細でも、探査すべき領域を目視することが困難なものを、微細な素子や回路基板などの検査に用いた場合、例えば、回路基板のリード線に検知部を接触させる作業が不安定になり、結果的に、正確な測定ができなかったり、場合によっては、回路の破損を招いたりするという問題点がある。
【０００４】
このような状況のもとで、図４に示すように、プローブ本体５１と、プローブ本体５１の先端に取り付けられた検出部５２と、プローブ本体５１に取り付けられた、検出部５２により検査される領域を照明する光源５３と、検出部５２が接続される電気測定器６０を備えた、検査の対象領域を目視しやすくしたプローブ・アッセンブリが提案されている（特許文献１参照）。
【０００５】
このプローブ・アッセンブリは、検出部５２が細く、しかも、検査される領域を照明する光源５３を備えているので、検査の対象領域を明るくして見やすくすることはできるが、単なる目視による場合には、微細な対象領域の所望の部分に検出部５２を確実に接触させることが困難な場合が生じる。
また、このプローブアッセンブリにおいては、光源５３がプローブ本体５１の外周面より外側の、プローブ本体５１の軸心からずれた位置に配設されているため、プローブ本体５１との位置関係により、対象領域に検出部５２の影ができて、対象領域を目視しにくくなるという問題点がある。
【特許文献１】特開２０００−０４６８７３号公報
【発明の開示】
【発明が解決しようとする課題】
【０００６】
本発明は、上記問題点を解決するものであり、微細な対象領域を拡大された状態で目視しつつ、信頼性の高い探査を行うことが可能で、しかも、取扱性に優れたルーペ付きプローブ装置を提供することを課題とする。
【課題を解決するための手段】
【０００７】
上記課題を解決するために、本発明（請求項１）のルーペ付きプローブ装置は、
探査・検出の対象である対象領域を探査・検出する探査・検出部と、
先端側に、前記探査・検出部が配設されるプローブ本体と、
光路が前記探査・検出部と略同軸となるように配設され、前記探査・検出部による探査・検出が行われる対象領域に光を照射する照明部と、
前記プローブ本体に配設され、前記対象領域を拡大して目視するためのルーペと
を具備することを特徴としている。
【０００８】
また、請求項２のルーペ付きプローブ装置は、前記ルーペが、使用条件に応じて、該ルーペを介して目視すべき前記対象領域との位置関係を調整することができるように、位置変更可能な態様で前記プローブ本体に配設されていることを特徴としている。
【０００９】
また、請求項３のルーペ付きプローブ装置は、前記プローブ本体に磁性材料からなるスライドガイド部が配設され、前記ルーペが、磁石を備えた摺動ルーペ機台を有する支持アームにより支持され、前記摺動ルーペ機台が磁力により、前記スライドガイド部上に摺動可能に保持されていることを特徴としている。
【００１０】
また、請求項４のルーペ付きプローブ装置は、前記支持アームが変形可能に構成されており、前記支持アームを変形させることにより、前記ルーペの位置を調整することができるように構成されていることを特徴としている。
【００１１】
また、請求項５のルーペ付きプローブ装置は、前記支持アームが蝶番を備えているか、または、前記支持アームの少なくとも一部が任意に変形させることが可能なフレキシブル材料から形成されていることを特徴としている。
【００１２】
また、請求項６のルーペ付きプローブ装置は、前記探査・検出部が、透明材料からなる保持部を貫通して保持され、かつ、前記保持部が、前記探査・検出部と、前記照明部から照射される光の光路とが略同軸となるように前記照明部に一体に固定されているとともに、該探査・検出部と照明部を一体に結合させた結合部材が、前記プローブ本体の先端側に配設されていることを特徴としている。
【００１３】
また、請求項７のルーペ付きプローブ装置は、前記スライドガイド部が、プローブ本体に形成された凹部に配設され、不使用時には、前記ルーペがプローブ本体の外周面から実質的に突出しないような態様で前記凹部内に保持されるように構成されていることを特徴としている。
【００１４】
また、請求項８のルーペ付きプローブ装置は、前記探査・検出部が、電気測定手段に接続されていることを特徴としている。
【００１５】
また、請求項９のルーペ付きプローブ装置は、前記電気測定手段が前記プローブ本体に配設されているか、または、プローブ本体とは別体として配設されていることを特徴としている。
【発明の効果】
【００１６】
本発明（請求項１）のルーペ付きプローブ装置は、探査・検出の対象である対象領域を探査・検出する探査・検出部と、先端側に、探査・検出部が取り付けられるプローブ本体と、光路が探査・検出部と略同軸となるように配設され、探査・検出部による探査・検出が行われる対象領域に光を照射する照明部と、プローブ本体に配設され、対象領域を拡大して目視するためのルーペとを備えているので、探査・検出部による探査・検出が行われる対象領域を確実に照明するとともに、該対象領域をルーペにより拡大して目視することが可能になるため、探査・検出部により、対象領域を確実に探査することが可能になり、例えば、回路基板を探査するような場合において、回路基板のリード線に探査・検出部を確実に接触させて正確な測定を行うというようなことが可能になる。
【００１７】
すなわち、光路が探査・検出部と略同軸となるように構成された照明部により対象領域を照明するとともに、プローブ本体に取り付けられたルーペにより対象領域を拡大して目視することにより、対象領域を十分に確認しながら探査・検出部を所望の部分にピンポイントで接触させることが可能になり、信頼性の高い探査・検出を行うことが可能になる。
【００１８】
なお、本発明においては、照明部の光源として、発熱が少なく、振動に強い発光ダイオード（ＬＥＤ）が好適に用いられる。ただし、他の光源を用いることも可能である。
【００１９】
また、探査・検出部には、先細り形状で、微細な針状の部材を用いることにより、影を生じることなく、微細部分にアクセスしやすい探査・検出部を構成することが可能になる。具体的には、例えば、縫い針（メリケン針Ｎｏ．７など）を利用することが可能である。
【００２０】
また、探査・検出部は、単なる針状のものに限らず、先端がフック状になったもの、二股に分岐したもの、使用に問題のない範囲で先端に丸みを持たせて安全性を向上させたものなど、用途に応じて種々の形状のものを用いることが可能である。
【００２１】
また、先端側に探査・検出部が取り付けられるプローブ本体としては、使用者が手で操作しやすい形状のものを用いることにより、良好な取扱性を実現することができる。
【００２２】
また、ルーペとしては、ガラス製やプラスチック製の、凸レンズやフレネルレンズなど、対象を拡大してみることが可能な種々のレンズを用いることが可能である。
【００２３】
また、請求項２のルーペ付きプローブ装置のように、ルーペと、ルーペを介して目視すべき対象領域との位置関係を調整することができるようにした場合、使用者の視力や、ルーペ付きプローブ装置を使用する際の姿勢などに応じて、ルーペの位置を適切に調整して、対象領域を見やすくすることが可能になり、本発明をより実効あらしめることが可能になる。
【００２４】
また、請求項３のルーペ付きプローブ装置のように、プローブ本体に磁性材料からなるスライドガイド部を配設し、ルーペを磁石を備えた摺動ルーペ機台を有する支持アームにより支持するとともに、摺動ルーペ機台を磁力によりスライドガイド部上に摺動可能に保持するようにした場合、ルーペと対象領域との距離を容易かつ確実に調整することが可能になり、本発明をより実効あらしめることが可能になる。
【００２５】
また、請求項４のルーペ付きプローブ装置のように、支持アームを変形可能に構成した場合、支持アームを変形させることにより、ルーペの位置を、探査・検出の対象である対象領域を見やすい位置に、より容易に調整することができるようになる。
【００２６】
また、請求項５のルーペ付きプローブ装置のように、支持アームを、蝶番を備えた構成、あるいは、支持アームの少なくとも一部がフレキシブル材料からなる構成とすることにより、ルーペの位置を、探査・検出の対象である対象領域を見やすい位置に、容易に調整することができるようになる。また、例えば、蝶番を折り畳むことにより、不使用時にコンパクトに収納することが可能になり、持ち運び性などを向上させることができる。
【００２７】
また、請求項６のルーペ付きプローブ装置は、探査・検出部が、透明材料からなる保持部を貫通して保持され、かつ、保持部が、探査・検出部と、照明部から照射される光の光路とが略同軸となるように前記照明部に一体に固定されているとともに、該探査・検出部と照明部を一体に結合させた結合部材が、プローブ本体の先端側に取り付けられた構成とすることにより、確実に、探査・検出部と、照明部から照射される光の光路とを略同軸とすることが可能になり、取扱性に優れた信頼性の高いルーペ付きプローブ装置を提供することが可能になる。
【００２８】
また、請求項７のルーペ付きプローブ装置のように、スライドガイド部を、プローブ本体に形成された凹部に配設することにより、不使用時には、ルーペをプローブ本体の外周面から実質的に突出しないような態様で凹部内に保持することが可能になり、取扱性を向上させることが可能になる。
【００２９】
また、請求項８のルーペ付きプローブ装置のように探査・検出部を電気測定手段に接続することにより、探査・検出部により探査・検出すべき対象の通電状態などの電気特性を検出することが可能になり、本発明の用途をさらに広めることが可能になる。
【００３０】
また、本発明のルーペ付きプローブ装置においては、請求項９のように、電気測定手段をプローブ本体に配設することも可能であり、または、プローブ本体とは別体として配設することも可能である。なお、例えば、電気的な導通の有無を検出する電気測定手段をプローブ本体にまたは別体として配設することにより、容易に対象の導通の有無を確認することが可能になる。
【発明を実施するための最良の形態】
【００３１】
以下に本発明の実施例を示して、本発明の特徴とするところをさらに詳しく説明する。
【実施例】
【００３２】
図１(ａ)、(ｂ)は、本発明の一実施例にかかるルーペ付きプローブ装置の構成を示す正面図および透視図、図２は、探査・検出部と照明部を一体化した結合部材を示す図、図３は、ルーペおよびルーペを支持する支持アーム、蝶番、および磁石を備えた摺動ルーペ機台を示す図である。
【００３３】
この実施例のルーペ付きプローブ装置は、図１〜３に示すように、探査・検出の対象である対象領域を探査・検出する探査・検出部１と、探査・検出部１が先端側に取り付けられるプローブ本体２と、光路が探査・検出部１と略同軸となるように配設され、探査・検出部１による探査・検出が行われる対象領域に光を照射する照明部３と、プローブ本体２に配設され、対象領域を拡大して目視するためのルーペ４とを備えた、いわゆるペンタイプのルーペ付きプローブ装置である。
【００３４】
なお、この実施例では、図１に示すように、先細りの針状部材（この実施例ではメリケン針Ｎｏ．７の針穴が形成されていない方の先端側部分）を用い、これを、図２に示すように、細いステンレス製の保護パイプ１０に挿入した構造のものを探査・検出部１として用いた。
【００３５】
また、プローブ本体２に形成された凹部１６には、磁性材料（この実施例ではステンレス製（ＳＵＳ４３０）の板状部材）からなるスライドガイド部５が配設されている。
そして、磁石６を備えた摺動ルーペ機台７を有する支持アーム８により支持されたルーペ４が、摺動ルーペ機台７の磁力により、スライドガイド部５上に摺動可能に保持されており、使用条件に応じて、ルーペ４を介して目視すべき対象領域との位置関係を調整することができるように、位置変更可能に構成されている。
【００３６】
また、ルーペ４としては、５倍のプラスチックレンズ（凸レンズ）が用いられており、このルーペ４が、支持アーム８により支持されている。
支持アーム８は、図３に示すように、摺動ルーペ機台７側に蝶番９を備えており、この蝶番９の角度を変えることにより、支持アーム８の角度を変化させてルーペ４の位置および視野を調整する（焦点調整を行う）ことができるように構成されている。すなわち、蝶番９を開とすることによってルーペ４が支持アーム８とともに立ち上がり、蝶番９の角度を調整することにより焦点調整が行われるとともに、不使用時には、蝶番９を閉とすることにより、ルーペ４がプローブ本体２に形成された凹部１６内に収容され、プローブ本体２の外周面から実質的に突出しないような態様で凹部１６内に保持されるように構成されている。
【００３７】
すなわち、この実施例のルーペ付きプローブ装置においては、(ａ)摺動ルーペ機台７をスライドガイド部５上でプローブ本体の軸方向に移動させること、および、(ｂ) 蝶番９の角度を調整することにより、位置調整を行い、焦点調整および視野調整を行うことができるように構成されている。
【００３８】
なお、上記支持アーム８は、例えば、ガス湯沸かし器の給湯用ホースなどに用いられているようなフレキシブル材料から構成することも可能である。
また、探査・検出部１は、図２に示すように、細いステンレス製の保護パイプ１０を介して、透明材料（この実施例ではアクリル樹脂）からなる保持部１１を貫通することにより保持部１１に保持されている。
この実施例では、保持部１１は、探査・検出部１と、照明部３から照射される光の光路とが略同軸となるような態様で照明部３に一体に固定されている。なお、具体的には、保持部１１は中空の樹脂パイプ１２を介して照明部３に固定されている。
【００３９】
また、照明部３の光源には発光ダイオード（白色ＬＥＤ）１５が用いられている。
【００４０】
さらに、プローブ本体２には光源用の電源となる電池１８が収納されており、プローブ本体２には光源をＯＮ−ＯＦＦするためのスイッチ１９が配設されている。
【００４１】
そして、この実施例のルーペ付きプローブ装置では、探査・検出部１と照明部３を一体に結合させた結合部材１４をプローブ本体２の先端側に配設することにより、探査・検出部１と、照明部３から照射される光の光路が同軸になるとともに、探査・検出部１と光路がプローブ本体２と略同軸となるように構成されている。
また、探査・検出部１は、信号取出線１３ａ、基板１７に配設された導体配線（図示せず）、信号出力端子１３ｃを介して外部装置（例えば、図１(ｂ)の電気測定手段２０）に接続することができるように構成されている。
【００４２】
なお、照明部３の光源である発光ダイオード１５は、導体（図示せず）および基板１７に形成された導体配線（図示せず）を介して電池１８に接続され、給電が行われるように構成されている。
【００４３】
また、導体配線を備えた基板１７に配設された外部端子１３ｂを介して、外部装置（例えば、図１(ｂ)の電気測定手段２０）からも、照明部３の発光ダイオード１５に給電を行うことができるように構成されている。これにより、電池の消費を抑制することが可能になるとともに、場合によっては、電池１８がない場合にも対象領域の検電を行うことが可能になる。
なお、本発明のルーペ付きプローブ装置においては、電気測定手段をプローブ本体２に一体に配設することも可能である。
【００４４】
この実施例のルーペ付きプローブ装置は、導体配線を備えた基板１７に、所望の機能に対応した素子を搭載するとともに、基板１７に必要な導体配線を行ったり、探査・検出部１を外部設備に接続したりすることにより、例えば、以下に述べるような機能を果たすように構成することができる。
(１)外部供給電源（５Ｖ±５％）入力時に、検電器として、探査・検出部により検査される対象の信号を断続音により確認する。
(２)電池を供給電源とする場合において、電気測定器(オシロスコープ)のプローブのアダプターとして使用して波形などを調べる。
(３)電池を供給電源とする場合において、探査・検出部により検査される対象の導通を音により確認する。
【００４５】
なお、電気測定手段としてのこれらの具体的な機能には特に制約はなく、探査・検出部が、確実に対象領域にある所望の検査対象にアクセスできるようになることに基づいて、公知の種々の方法を適用して、種々の電気的な特性を調べることが可能である。
【００４６】
上述のように構成されたルーペ付きプローブ装置によれば、光路が探査・検出部と略同軸となるように構成された照明部により、探査・検出部による探査・検出が行われる対象領域を照明するとともに、プローブ本体に取り付けられたルーペにより該対象領域を拡大して目視することにより、対象領域を十分に確認しながら探査・検出部を、対象領域の所望の部分にピンポイントで接触させることが可能になり、信頼性の高い探査・検出を行うことが可能になる。したがって、回路基板を探査するような場合において、例えば、視力が弱い作業者が検査作業を行う場合にも、回路基板のリード線などに探査・検出部を確実に接触させて正確な測定を行うことが可能になる。
【００４７】
なお、上記実施例では探査・検出部が針状である場合を例にとって説明したが、探査・検出部の具体的な形状はこれに限られるものではなく、先端がフック状になったもの、二股に分岐したもの、先端に丸みを持たせて安全性を向上させたものなどを用いることが可能である。
【００４８】
また、上記実施例では光源として、発光ダイオード（白色ＬＥＤ）を用いたが、他の光源を用いることも可能である。
【００４９】
なお、本発明は、さらにその他の点においても上記実施例に限定されるものではなく、プローブ本体、照明部、ルーペなどの具体的な構造や形状、スライドガイド部、支持アームの構造や構成材料などに関し、発明の範囲内において、種々の応用、変形を加えることが可能である。
【産業上の利用可能性】
【００５０】
上述のように、本発明、光路が探査・検出部と略同軸となるように構成された照明部により、探査・検出部による探査・検出が行われる対象領域を照明するとともに、プローブ本体に取り付けられたルーペにより対象領域を拡大して目視するようにしているので、対象領域を十分に確認しながら探査・検出部を、対象領域の所望の部分にピンポイントで接触させることが可能になり、信頼性の高い探査・検出を行うことが可能になる。
【００５１】
それゆえ、本発明は、微細な部分を探査、調査する場合に広く利用することが可能であり、特に、小型の電子部品やそれに用いられる配線基板などに関し、探査・検出部により探査される領域において電気測定などを行う場合に有意義である。
【図面の簡単な説明】
【００５２】
【図１】(ａ)は、本発明の一実施例にかかるルーペ付きプローブ装置の構成を示す正面図、(ｂ)は透視図である。
【図２】探査・検出部と照明部を一体化した結合部材を示す図である。
【図３】ルーペおよびルーペを支持する支持アーム、蝶番、および磁石を備えた摺動ルーペ機台を示す図である。
【図４】検出部により検査される領域を照明する光源を備えているとともに、検出部が接続される電気測定器を備えた従来のプローブ・アッセンブリの構造を示す図である。
【符号の説明】
【００５３】
１        探査・検出部
２        プローブ本体
３        照明部
４        ルーペ
５        スライドガイド部
６        磁石
７        摺動ルーペ機台
８        支持アーム
９        蝶番
１０      保護パイプ
１１      保持部
１２      樹脂パイプ
１３ａ    信号取出線
１３ｂ    外部端子
１３ｃ    信号出力端子
１４      結合部材
１５      発光ダイオード（白色ＬＥＤ）
１６      凹部
１７      基板
１８      電池
１９      スイッチ
２０      電気測定手段
【図１】
2005274430.tif 000003
【図２】
2005274430.tif 000004
【図３】
2005274430.tif 000005
【図４】
2005274430.tif 000006